(57)【要約】【課題】  別部品を用いることなく一種類で水平面、垂直面に施工することができる雨樋集水ますを提供し、更に、垂直面に施工するときは垂直面から雨樋集水ますの排水筒部の距離を調節できる雨樋集水ますを提供する。【解決手段】  本発明の雨樋集水ます１は、底部に排水筒部２を形成し上面に流入開口部３を形成してなる雨樋集水ます１の該流入開口部３の上縁部に、水平方向外方に突出する軒天固定片４を形成すると共に、該集水ます１の壁固定面６の上縁部に、水平方向外方へ突出する固定脚７を形成してなる雨樋集水ます１において、該固定脚７に壁固定面６と平行なリブ片８を間隔をおいて複数形成すると共に、該リブ片８の水平方向外方直前部を切断自在部として固定脚７を形成してなることを特徴とする。【選択図】図１
2006316532.tif 000002
【特許請求の範囲】
【請求項１】
底部に排水筒部を形成し上面に流入開口部を形成してなる雨樋集水ますの該流入開口部の上縁部に、水平方向外方に突出する軒天固定片を形成すると共に、該集水ますの壁固定面の上縁部に、水平方向外方へ突出する固定脚を形成してなる雨樋集水ますにおいて、固定脚に壁固定面と平行なリブ片を間隔をおいて複数形成すると共に、該リブ片の水平方向外方直前部を切断自在部として固定脚を形成してなる雨樋集水ます。
【請求項２】
固定脚を集水ますの流入開口部面より上方に突出形成してなることを特徴とする請求項１記載の雨樋集水ます。
【発明の詳細な説明】
【技術分野】
【０００１】
本願発明は、屋根上の雨水を集めて竪樋へと流下させ案内する雨樋集水ますに関するものである。特に玄関ポーチ等のように軒天、壁面等施工現場に応じて取り付けが対応できる雨樋集水ますに関するものである。
【背景技術】
【０００２】
従来から、第４図に示す如く、玄関ポーチの屋根（イ）の下面に蓋板（ロ）を固定し、この  
蓋板（ロ）に雨樋集水ます（ハ）を係合し取り付けることが知られている。
又、第５図に示す如く、垂直な壁面（ニ）に雨樋集水ます（ハ）をビスにより直接固定するこ  
とも知られている。又、（特許文献１）に示される如く蓋板側部に壁面固定部を形成し蓋板を  壁
面に固定し、この蓋板に雨樋集水ますを係合することも知られている。
【０００３】
第４図に示す事例では蓋板（ロ）が別部品として必要であり、第５図に示す事例ではそのまま屋根の下面（水平面）に固定出来ないものである。又、特許文献１に示される事例では別部品である蓋板が必要とするものである。
【特許文献１】実開平０４−２８５３８号公報
【発明の開示】
【発明が解決しようとする課題】
【０００４】
しかしながら、上記従来の雨樋集水ますは固定面が水平面（屋根の下面）、垂直面（壁面）でそのまま転用できないものであり、何らかの別部品を必要としたものであった。
【０００５】
又、垂直面（壁面）に雨樋集水ますを固定した場合、雨樋集水ますの下部の排水筒部と壁面との距離が固定されることになり、壁面に固定される竪樋の出の距離と一致しないことがしばしば生じるもので排水筒部と竪樋の接続がスムースに行えない場合があった。
【０００６】
本願発明は、上記背景技術に鑑みて発明されたものであり、その課題は、別部品を用いることなく水平面、垂直面に施工固定できる雨樋集水ますを提供することにあり、さらに、垂直面に施工固定する場合は排水筒部の垂直面からの距離を調整することが出来る雨樋集水ますを提供することである。
【課題を解決するための手段】
【０００７】
上記課題を解決するために、本発明は、底部に排水筒部を形成し上面に流入開口部を形成してなる雨樋集水ますの該流入開口部の上縁部に、水平方向外方に突出する軒天固定片を形成すると共に、該集水ますの壁固定面の上縁部に、水平方向外方へ突出する固定脚を形成してなる雨樋集水ますにおいて、該固定脚に壁固定面と平行なリブ片を間隔をおいて複数形成すると共に、該リブ片の水平方向外方直前部を切断自在部として固定脚を形成してなることを特徴とする雨樋集水ますである。
【発明の効果】
【０００８】
本願の請求項１の雨樋集水ますにおいては、水平面（例えば軒天）に施工する場合は流入開口部に形成された軒天固定片により固定すれば良いものであり、更に垂直面（壁面）に施工する必要がある現場では固定脚を通して壁面にビスで固定すれば良いものである。このように本願発明の雨樋集水ますでは、施工面が水平面、垂直面いずれであっても別部品を用いることなく施工できるものである。しかも、本願発明の雨樋集水ますは垂直面に施工する時は排水筒部の垂直面からの出の距離を調整し竪樋の位置に合致させることが容易に出来るものである。
【０００９】
本願の請求項２の雨樋集水ますにおいては、固定脚を集水ます本体の流入開口部上方に突出形成してなるものであるために、更に、固定脚を通じてビスにより垂直面に固定する場合に固定脚が流入開口部上方に突出形成されているために流入開口部内の作業にならず作業が容易なものである。
【発明を実施するための最良の形態】
【００１０】
図１〜３は、本願の請求項１〜２の全てに対応した一実施形態である雨樋集水ます１を示すものであり、図１は斜視図、図２は側面図、図３は平面図である。この実施形態の雨樋集水ます１では底部に排水筒部２を形成し、上面に流入開口部３を形成している。排水筒部２は竪樋（図示せず）に接続され雨水を流下させるものであり、流入開口部３は屋根からの雨水を受けるものである。流入開口部３には水平方向外方に突出する軒天固定片４が突出形成されている。５はビス孔である。雨樋集水ます１の壁固定面６の上端には上方及び外方に突出する固定脚７、７が形成されている。固定脚７は壁固定面６に平行なリブ片８を間隔をおいて複数形成してなるものである。図示例においては３個のリブ片８、８、８が形成されている。固定脚７は壁固定面６からの水平方向の突出量を３段階に調節できる。即ち、該固定脚７の一番内側のリブ片８のみを残して後の残りを全部切断しその突出量をなくする場合、固定脚７の中ほどのリブ片８までを残してそれより先端を切断する場合、固定脚８を切断しない状態で雨樋集水ます１を取り付ける場合である。切断を容易にするために固定脚８の適所に溝部（図示せず）を形成しておくと良い。雨樋集水ます１はリブ片７に形成したビス孔５を貫通させたビス若しくは釘（図示せず）で壁面に取り付けられる。該切断を容易にするために該リブ片の水平方向外方直前部を切断溝等からなる切断自在部（図示せず）としている。９は当止片であり、１０は当止片９に形成された切断溝である。当止片９は雨樋集水ます１を壁面等の垂直面に施工する場合に垂直面に当止して雨樋集水ます１を安定させるものであり、切断溝１０は固定脚７を切断して長さを調整した場合にそれに応じて当止片９の長さを調整するものである。
【００１１】
以下、この実施形態の雨樋集水ます１をより具体的に説明する。この雨樋集水ます１を水平面に施工する場合、軒天固定片４により水平面に固定するものであり、固定脚７、当止片９は機能を果たさないものである。この時、固定脚７若しくは当止片９が施工の妨げになる場合、或いは外観上良くない場合には固定脚７、当止片９を切断除去する。次にこの雨樋集水ます１を垂直面に施工する場合、まず排水筒部２の適切な位置、つまり接続すべき竪樋に合致する垂直面からの距離を知り固定脚７の水平方向突出量を調節する。固定脚７は壁固定面６に平行なリブ片８を間隔をおいて形成してなるもので選択されたリブ片８よりも水平方向前方を前記切断自在部に沿って切断することによりその突出量を調節することができるものである。当止片９は固定脚７の突出量に対応して切断し調節する。
【００１２】
この雨樋集水ます１では施工場所が水平面であっても垂直面であっても取り付けることができるために一種類の雨樋集水ますを準備するだけでよく、又、別部品を必要とすることもないので施工面からの利点が大である。更に、垂直面の施工においては、排水筒部２を適切な位置に調節することができ竪樋との接続がスムースに行えるものである。
【００１３】
なお、固定脚７の構造は図示された構造に限定されないことは当然であり、リブ片８の水平方向突出量を適宜切断して調節できる構造を含む固定脚は全て発明の技術範囲に入るものである。
【図面の簡単な説明】
【００１４】
【図１】本願発明の一実施形態である雨樋集水ますの斜視図。
【図２】本願発明の図１に示す実施形態の側面図。
【図３】本願発明の図１に示す実施形態の平面図。
【図４】従来例である雨樋集水ますの水平面への取り付け状態を示す説明図。
【図５】従来例である雨樋集水ますの垂直面への取り付け状態を示す説明図。
【符号の説明】
【００１５】
１    雨樋集水ます
２    排水筒部
３    流入開口部
４    軒天固定片
５    ビス孔
６    壁固定面
７    固定脚
８    リブ片
９    当止片
１０  切断溝
【図１】
2006316532.tif 000003
【図２】
2006316532.tif 000004
【図３】
2006316532.tif 000005
【図４】
2006316532.tif 000006
【図５】
2006316532.tif 000007